(57)【要約】【課題】信頼性の高いエレベーターの冠水退避運転を実現可能な報知制御装置を提供する。【解決手段】冠水退避運転に係る報知を制御する報知制御装置であって、エレベーターとエレベーターの所在地とが対応付けられた情報に基づいて、冠水退避運転の設定が行われたエレベーターから所定範囲内のエレベーターを識別する識別部と、位置と雨量とが対応付けられた情報に基づいて、識別部で識別されたエレベーターの所在地における雨量を抽出する抽出部と、識別部で識別されたエレベーター、および該エレベーターの所在地における雨量に基づいて、報知を行う対象、および該報知のタイミングを制御する制御部と、を設けるようにした。【選択図】図１
2018154438.tif 000002
【特許請求の範囲】
【請求項１】
冠水退避運転に係る報知を制御する報知制御装置であって、
エレベーターと前記エレベーターの所在地とが対応付けられた情報に基づいて、冠水退避運転の設定が行われたエレベーターから所定範囲内のエレベーターを識別する識別部と、
位置と雨量とが対応付けられた情報に基づいて、前記識別部で識別されたエレベーターの所在地における雨量を抽出する抽出部と、
前記識別部で識別されたエレベーター、および該エレベーターの所在地における雨量に基づいて、報知を行う対象、および該報知のタイミングを制御する制御部と、
を備えることを特徴とする報知制御装置。
【請求項２】
エレベーターと前記エレベーターを有する建物の設置高とが対応付けられた情報に基づいて、前記冠水退避運転の設定が行われたエレベーターの設置高および前記識別部で識別されたエレベーターにおける設置高を特定する特定部を更に備え、
前記制御部は、前記識別部で識別されたエレベーターの所在地における雨量と、前記冠水退避運転の設定が行われたエレベーターの設置高と前記識別部で識別されたエレベーターの設置高との高低関係とに基づいて、報知を行う対象、および該報知のタイミングを制御する、
ことを特徴とする請求項１に記載の報知制御装置。
【請求項３】
前記制御部は、前記識別部で識別されたエレベーターの所在地における雨量に基づいて、報知回数を変更する、
ことを特徴とする請求項１に記載の報知制御装置。
【請求項４】
前記制御部は、前記識別部で識別されたエレベーターの所在地における雨量に基づいて、報知内容を変更する、
ことを特徴とする請求項１に記載の報知制御装置。
【請求項５】
前記制御部は、前記識別部で識別されたエレベーターの所在地における雨量に基づいて、報知が行わる報知デバイスを変更する、
ことを特徴とする請求項１に記載の報知制御装置。
【請求項６】
冠水退避運転に係る報知を制御する報知制御方法であって、
識別部が、エレベーターと前記エレベーターの所在地とが対応付けられた情報に基づいて、冠水退避運転の設定が行われたエレベーターから所定範囲内のエレベーターを識別する第１のステップと、
抽出部が、位置と雨量とが対応付けられた情報に基づいて、前記識別部で識別されたエレベーターの所在地における雨量を抽出する第２のステップと、
制御部が、前記識別部で識別されたエレベーター、および該エレベーターの所在地における雨量に基づいて、報知を行う対象、および該報知のタイミングを制御する第３のステップと、
を備えることを特徴とする報知制御方法。
【発明の詳細な説明】
【技術分野】
【０００１】
本発明は報知制御装置および報知制御方法に関し、例えば冠水退避運転に係る報知を制御する報知制御装置および報知制御方法に適用して好適なものである。
【背景技術】
【０００２】
一般に、エレベーターの昇降路は、雨天時に冠水しない場所に設けられているとともに、昇降路の底部には、防水処理が施され、乗りかごおよびつり合いおもりが冠水しないように構成されている。しかしながら、予期しない集中豪雨、台風などにより、排水溝、河川などが増水して道路上に雨水があふれ、建物内に雨水が流れ込むことがある。更に増水すると、エレベーターの乗り場のドアと敷居の溝との隙間より雨水が浸水し、エレベーターの乗りかごは冠水して機器の損傷、劣化などが生じるおそれもある。
【０００３】
この点、エレベーターの監視センタにおいて、遠隔にて冠水退避運転を行うことができる技術が開示されている（特許文献１参照）。この技術によれば、保守員が冠水しそうな建物に出向くことなく、遠隔にて冠水退避運転を行うことができる。
【先行技術文献】
【特許文献】
【０００４】
【特許文献１】特開２００２−３１１７号公報
【発明の概要】
【発明が解決しようとする課題】
【０００５】
しかしながら、特許文献１に記載の技術では、エレベーターの管理者または営業所員が建物から遠隔の地にいる場合、大雨、台風などによる冠水の可能性の度合いを把握することは困難であり、遠隔設定が漏れてしまうことがあり得る。また、冠水退避運転の設定が不要と判断されたエレベーターについては、判断後に雨量の増加、長期的な雨天などにより将来的に冠水が発生することもあり得る。これらのような事態が生じると、該当するエレベーターは、冠水により機器の破損、劣化などが生じてしまう。
【０００６】
本発明は以上の点を考慮してなされたもので、冠水退避運転をより確実に実施するための報知制御装置を提案しようとするものである。
【課題を解決するための手段】
【０００７】
かかる課題を解決するため本発明においては、冠水退避運転に係る報知を制御する報知制御装置であって、エレベーターと前記エレベーターの所在地とが対応付けられた情報に基づいて、冠水退避運転の設定が行われたエレベーターから所定範囲内のエレベーターを識別する識別部と、位置と雨量とが対応付けられた情報に基づいて、前記識別部で識別されたエレベーターの所在地における雨量を抽出する抽出部と、前記識別部で識別されたエレベーター、および該エレベーターの所在地における雨量に基づいて、報知を行う対象、および該報知のタイミングを制御する制御部と、を設けるようにした。
【０００８】
また本発明においては、冠水退避運転に係る報知を制御する報知制御方法であって、識別部が、エレベーターと前記エレベーターの所在地とが対応付けられた情報に基づいて、冠水退避運転の設定が行われたエレベーターから所定範囲内のエレベーターを識別する第１のステップと、抽出部が、位置と雨量とが対応付けられた情報に基づいて、前記識別部で識別されたエレベーターの所在地における雨量を抽出する第２のステップと、制御部が、前記識別部で識別されたエレベーター、および該エレベーターの所在地における雨量に基づいて、報知を行う対象、および該報知のタイミングを制御する第３のステップと、を設けるようにした。
【０００９】
上記構成によれば、冠水退避運転の設定が行われたエレベーターから所定範囲内のエレベーターの所在地における雨量に基づいて、当該エレベーターの報知が行われるので、雨量増加、長期的な雨天などによりエレベーターが結果的に冠水してしまう事態を回避できるようになる。
【発明の効果】
【００１０】
本発明によれば、信頼性の高いエレベーターの冠水退避運転を実現することができる。
【図面の簡単な説明】
【００１１】
【図１】第１の実施の形態によるエレベーターシステムの構成を示すブロック図である。
【図２】第１の実施の形態による連動設定処理に係るフローチャートを示す図である。
【図３】第１の実施の形態による報知制御処理に係るフローチャートを示す図である。
【発明を実施するための形態】
【００１２】
以下図面について、本発明の一実施の形態を詳述する。
【００１３】
（１）第１の実施の形態
（エレベーターシステム）
図１において、１００は全体として第１の実施の形態によるエレベーターシステムを示す。このエレベーターシステム１００は、複数の異なる建物１（建物１ａ〜１ｄ）内に設置された複数のエレベーター２（エレベーター２ａ〜２ｄ）と、エレベーター２の作動状態を監視する監視装置３（監視装置３ａ〜３ｄ）と、建物１から離れた遠隔地に設けられ、監視装置３および監視回線４を介してエレベーター２の作動状態を遠隔的に監視する監視センタ５とを備える。
【００１４】
また、エレベーターシステム１００は、通信網６を介して監視センタ５と接続され、エレベーター２の冠水退避運転の設定、エレベーター２の冠水退避運転に係る報知などが可能であって、エレベーター２の所有者・管理者２７（２７ａ〜２７ｄ）が操作可能な制御端末２６（２６ａ〜２６ｄ）を備える。なお、冠水退避運転では、最上階が基準階に変更されてサービスが継続されてもよいし、退避階（例えば最上階）に移動後、運転が休止されてもよいし、冠水による機器の破損を軽減するその他の運転が行われてもよい。
【００１５】
また、エレベーターシステム１００は、電話回線２８を介して監視センタ５と接続され、エレベーター２の冠水退避運転に係る報知などが可能であって、エレベーター２の所有者・管理者２７が操作可能な電話機２９（２９ａ〜２９ｄ）を備える。
【００１６】
また、エレベーターシステム１００は、通信網６を介して監視センタ５と接続され、エレベーター２の冠水退避運転の設定、エレベーター２の冠水退避運転に係る報知などが可能であって、エレベーター２の保守員３６（３６ａ〜３６ｄ）が操作可能な制御端末３７（３７ａ〜３７ｄ）を備える。
【００１７】
また、エレベーターシステム１００は、電話回線２８を介して監視センタ５と接続され、エレベーター２の冠水退避運転に係る報知などが可能であって、エレベーター２の保守員３６が操作可能な電話機３８（３８ａ〜３８ｄ）を備える。
【００１８】
（監視センタ）
監視センタ５は、例えば情報処理装置（報知制御装置、エレベーター遠隔制御装置など）であり、ＣＰＵ（Central Processing Unit）などの制御装置、ＲＡＭ（Random Access Memory）、ＲＯＭ（Read Only Memory）、ＨＤＤ（Hard Disk Drive）などの記憶装置、通信インターフェースなどを備え、制御装置が記憶装置に記憶されたプログラムおよびデータを読み出して実行することで、後述の各部（各種の機能）が実現される。なお、各種の機能の一部または全部は、回路などのハードウェアにより実現されてもよい。
【００１９】
より具体的には、監視センタ５は、監視回線４、通信網６、電話回線２８に接続される通信部９と、通信部９を介してエレベーター２に冠水退避運転を連動設定する遠隔制御設定部１０と、通信部９を介して、関係者（エレベーター２の所有者・管理者２７、保守員３６など）に冠水退避運転に係る報知をするための報知デバイス（制御端末２６、制御端末３７、電話機２９、電話機３８、後述の表示部、警報装置等）に指令する報知司令部３０とを備える。
【００２０】
遠隔制御設定部１０は、冠水退避運転を行うエレベーター２（以下では冠水退避運転エレベーターと称する。なお、冠水退避運転エレベーターとしてエレベーター２ａを例に挙げて適宜説明する。）と連動して冠水退避運転させるエレベーター（連動対象エレベーター）を抽出する連動設定対象抽出部１４を備える。
【００２１】
連動設定対象抽出部１４は、エレベーター検索部１５、近隣閾値格納部１６、標高比較部１７、雨量比較部１８、および雨量閾値格納部１９を備え、エレベーター２とエレベーター２の所在地とが対応付けられた所在地情報を記憶する所在地情報１１、建物１と建物１の標高とが対応付けられた標高情報を記憶する標高情報１２、および位置と雨量（例えば直近の規定時間の雨量）とが対応付けられた雨量マップ情報を記憶する雨量マップ情報１３に基づいて、冠水退避運転エレベーターから所定範囲内のエレベーター２を識別し、識別されたエレベーター２の所在地における雨量と、冠水退避運転エレベーターの設置高（基準地点からの高さを示すものであり、例えば、標高、海抜など。）と識別されたエレベーター２の設置高との高低関係とに基づいて、連動対象エレベーターを抽出する。なお、雨量マップ情報１３は、エレベーター２ごとに雨量を記憶してもよいし、エレベーター２を含む地域（所定領域）ごとに雨量を記憶してもよいし、所定の雨量（雨量閾値）を超える地域（所定領域）の情報を記憶してもよいし、その他の形式で情報を記憶してもよく、定期的または適宜のタイミングで気象庁などの外部ソースから情報が収集されて更新される。
【００２２】
エレベーター検索部１５は、冠水退避運転エレベーターの所在地から所定領域内に存在する近隣のエレベーター２（以下では近隣エレベーターと称する。）を検索（識別）する。例えば、エレベーター検索部１５は、所在地情報１１に記憶された所在地と近隣閾値格納部１６に記憶された近隣閾値とに基づいて、近隣エレベーターを検索する。
【００２３】
標高比較部１７は、エレベーター検索部１５によって検索された近隣エレベーターを有する建物１の標高が冠水退避運転エレベーターを有する建物１の標高に比べて低いか否かを判断する。例えば、標高比較部１７は、標高情報１２に記憶された建物１の標高情報に基づいて、近隣エレベーターを有する建物１の標高が、冠水退避運転エレベーターを有する建物１の標高に比べて低いか否かを判断する。本例では、図１に示すように、エレベーター２ｂを有する建物１ｂの標高は、エレベーター２ａを有する建物１ａの標高に比べて低くなっている。
【００２４】
雨量比較部１８は、冠水退避運転エレベーターを有する建物１の標高に比べて標高が低いと標高比較部１７によって判断された近隣エレベーターを有する建物１の所在地の雨量が予め設定された雨量閾値より多いか否かを判断する。例えば、雨量比較部１８は、近隣エレベーターを有する建物１の所在地における雨量マップ情報１３に記憶された雨量が雨量閾値格納部１９に記憶された雨量閾値より多いか否かを判断する。
【００２５】
そして、連動設定対象抽出部１４は、雨量比較部１８により雨量閾値より多いと判定された近隣エレベーターを連動対象エレベーターとして抽出する。つまり、連動設定対象抽出部１４は、近隣エレベーターを特定し、近隣エレベーターのうち、標高が冠水退避運転エレベーターの標高より低い近隣エレベーターであって、所在地における雨量が雨量閾値を超える近隣エレベーターを特定し、当該近隣エレベーターを連動対象エレベーターとして抽出（特定）する。
【００２６】
また、報知司令部３０は、該当するエレベーター２が設けられる建物１内の警報装置および表示部、該当するエレベーター２の所有者・管理者２７の制御端末２６および電話機２９、並びに、該当するエレベーター２の保守員３６の制御端末３７および電話機３８に対し、冠水退避運転が実施されたこと、冠水のおそれがあることなどを報知するように司令（制御）する。
【００２７】
より具体的には、報知司令部３０は、第２エレベーター検索部３１、近隣第２閾値格納部３２、第２標高比較部３３、第２雨量比較部３４、雨量第２閾値格納部３５、および保守員検索部４２を備え、所在地情報１１、標高情報１２、雨量マップ情報１３、およびエレベーター２と保守員３６とが対応付けられた保守員情報を記憶する保守員情報４１に基づいて、冠水退避運転エレベーターから所定範囲内のエレベーター２を識別し、識別されたエレベーター２の所在地における雨量と、冠水退避運転エレベーターの設置高と識別されたエレベーター２の設置高との高低関係とに基づいて、報知を行う対象、および当該報知のタイミング（識別されたエレベーター２の関係者への報知）を制御する。
【００２８】
第２エレベーター検索部３１は、エレベーター検索部１５によって近隣エレベーターとして検索されなかったエレベーター２から、近隣閾値よりも該当範囲が広くなるように予め設定された近隣第２閾値内に存在するエレベーター２（近隣第２エレベーター）を検索する。例えば、第２エレベーター検索部３１は、所在地情報１１に記憶された所在地と近隣第２閾値格納部３２に記憶された近隣第２閾値とに基づいて近隣第２エレベーターを検索する。
【００２９】
第２標高比較部３３は、第２エレベーター検索部３１によって検索された近隣第２エレベーターを有する建物１の標高が冠水退避運転エレベーターを有する建物１の標高に比べて低いか否かを判断する。例えば、第２標高比較部３３は、標高情報１２に記憶された標高情報に基づいて、近隣第２エレベーターを有する建物１の標高が、冠水退避運転エレベーターを有する建物１の標高に比べて低いか否かを判断する。本例では、図１に示すように、エレベーター２ｃを有する建物１ｃの標高は、エレベーター２ａを有する建物１ａの標高に比べて低くなっている。
【００３０】
第２雨量比較部３４は、冠水退避運転エレベーターを有する建物１の標高に比べて標高が低いと第２標高比較部３３によって判断された近隣第２エレベーターを有する建物１の所在地の雨量が予め設定された雨量第２閾値（将来的に冠水が発生するおそれのある雨量）以上であるか否かを判断する。また、第２雨量比較部３４は、雨量比較部１８によって雨量閾値以下であると判断された近隣エレベーターを有する建物１の所在地の雨量が、雨量閾値よりも該当範囲が広くなるように予め設定された雨量第２閾値以上であるか否かを判断する。例えば、第２雨量比較部３４は、近隣第２エレベーターを有する建物１の所在地における雨量マップ情報１３に記憶された雨量が雨量第２閾値格納部３５に記憶された雨量第２閾値以上であるか否かを判断する。
【００３１】
保守員検索部４２は、保守員情報４１に基づいて、連動対象エレベーターを担当する保守員３６を特定する。
【００３２】
上述のように、報知司令部３０は、冠水退避運転に係る報知を行う対象のエレベーター２（将来的に冠水のおそれがあるエレベーター２）を特定（識別）して所定の報知を実施する。例えば、報知司令部３０は、通信網６を介して、エレベーター２の所有者・管理者２７の持つ制御端末２６に、将来的に冠水のおそれがあることなどを情報発信する。
【００３３】
ここで、建物１には、エレベーター２の冠水退避運転に伴って警報を発する警報装置２０，２１が設けられている。警報装置２０は、エレベーター２ａの乗りかご内に設置され、警報装置２１は、管理室内に設置される。図１では、建物１ａ内にのみ警報装置２０，２１を示しているが、建物１ｂ〜１ｄ内に同様の警報装置２０，２１が設けられている。
【００３４】
また、建物１には、エレベーター２が冠水退避運転を実施する旨、冠水のおそれがある旨などを表示する表示部が設けられている。表示部としては、エレベーター２の乗りかご内に設置されたかご内インジケータ２３、乗場に設置された乗場インジケータ２５、乗場に設置された乗場モニタ２４、管理室に設置されたモニタ２２などを採用できる。なお、図１では、建物１ａ内に表示部を示しているが、建物１ｂ〜１ｄ内に同様の表示部が設けられている。
【００３５】
例えば、監視センタ５は、通信網６を介して、エレベーター２の所有者・管理者２７の持つ制御端末２６に、他のエレベーター２で冠水退避運転を実施したこと、および将来的に冠水のおそれがあることを情報発信する。また、監視センタ５は、電話回線２８を介して、エレベーター２の所有者・管理者２７の持つ電話機２９に、他のエレベーター２で冠水退避運転を実施したこと、および将来的に冠水のおそれがあることを情報発信する。これにより、エレベーター２の所有者・管理者２７に他のエレベーター２の冠水退避運転の実施、および自身のエレベーター２が将来的に冠水のおそれがあることを確実に知らせることができる。
【００３６】
また、例えば、監視センタ５は、通信網６を介して、エレベーター２の保守員３６の持つ制御端末３７に、他のエレベーター２で冠水退避運転を実施したこと、および将来的に冠水のおそれがあることを情報発信する。また、監視センタ５は、電話回線２８を介して、エレベーター２の保守員３６の持つ電話機３８に他のエレベーター２で冠水退避運転を実施したこと、および将来的に冠水のおそれがあることを情報発信する。これにより、エレベーター２の保守員３６に他のエレベーター２の冠水退避運転の実施、および担当のエレベーター２が将来的に冠水のおそれがあることを確実に知らせることができる。
【００３７】
（連動設定処理）
図２は、連動設定処理に係る処理手順を示す。なお、図２では、冠水退避運転エレベーターをエレベーターＡと示している。
【００３８】
エレベーターＡの所有者・管理者２７が制御端末２６を操作し、エレベーターＡの冠水退避運転を遠隔で制御設定すると（ステップＳ１）、制御端末２６は、監視センタ５の連動設定対象抽出部１４に対し、連動設定が必要となるエレベーター２の有無確認を要求する（ステップＳ２）。
【００３９】
連動設定対象抽出部１４のエレベーター検索部１５は、有無確認の要求に基づいて、冠水退避運転が遠隔設定されたエレベーターＡの所在地を所在地情報１１から抽出する（ステップＳ３）。
【００４０】
続いて、エレベーター検索部１５は、近隣閾値格納部１６から近隣閾値を読み出し、エレベーターＡの所在地から近隣閾値内に存在するエレベーター２（近隣エレベーター）の情報を所在地情報１１から抽出する（ステップＳ４）。例えば、エレベーターＡがエレベーター２ａである場合、図１に示すように、エレベーター２ａが含まれる近隣閾値内にエレベーター２ｂが存在していることから、エレベーター２ｂが近隣エレベーターとして抽出される。
【００４１】
続いて、エレベーター検索部１５は、近隣エレベーターを抽出したか否かを判定する（ステップＳ５）。エレベーター検索部１５は、近隣エレベーターを抽出したと判定した場合、ステップＳ６に処理を移し、近隣エレベーターを抽出していないと判定した場合、図３のステップＳ１０１に処理を移す。
【００４２】
ステップＳ６では、標高比較部１７は、エレベーター検索部１５で検索された近隣エレベーターを有する建物１の標高情報と、冠水退避運転が遠隔設定されたエレベーターＡを有する建物１の標高情報とを標高情報１２から抽出する。
【００４３】
続いて、標高比較部１７は、近隣エレベーターを有する建物１の標高が、遠隔設定されたエレベーターＡを有する建物１の標高に比べて低いか否かを判定する（ステップＳ７）。標高比較部１７は、近隣エレベーターを有する建物１の標高が、エレベーターＡを有する建物１の標高に比べて低いと判定した場合、ステップＳ８に処理を移し、近隣エレベーターを有する建物１の標高が、エレベーターＡを有する建物１の標高に比べて低くない（高いまたは同じ）と判定した場合、図３のステップＳ１０１に処理を移す。
【００４４】
ステップＳ８では、雨量比較部１８は、エレベーターＡよりも標高が低い近隣エレベーターの所在地における雨量情報を雨量マップ情報１３から抽出する。
【００４５】
続いて、雨量比較部１８は、雨量閾値格納部１９から雨量閾値を読み出し、近隣エレベーターの所在地における雨量が雨量閾値より多いか否か判定する（ステップＳ９）。雨量比較部１８は、近隣エレベーターの所在地における雨量が雨量閾値より多いと判定した場合、判定対象の近隣エレベーターを連動対象エレベーターとしてステップＳ１０に処理を移し、近隣エレベーターの所在地における雨量が雨量閾値以下であると判定した場合、図３のステップＳ１０１に処理を移す。
【００４６】
ステップＳ１０では、遠隔制御設定部１０は、連動対象エレベーターに冠水退避運転の実施を指令する。より具体的には、遠隔制御設定部１０は、冠水退避運転エレベーターから近隣閾値内にあり、冠水退避運転エレベーターを有する建物１の標高よりも低く、かつ所在地の雨量が雨量閾値よりも多いエレベーター２に対して、通信部９、監視回線４、および監視装置３を介して、冠水退避運転の実施（設定）を指令する。
【００４７】
続いて、監視センタ５の遠隔制御設定部１０は、冠水退避運転の設定に係る報知を制御する（ステップＳ１１）。例えば、監視センタ５は、通信網６を介して連動対象エレベーターの所有者・管理者２７の所有する制御端末２６に電子メールなどで冠水退避運転の連動設定を報知する。また、例えば、監視センタ５は、電話回線２８を介して連動対象エレベーターの所有者・管理者２７の所有する電話機２９に自動音声などで冠水退避運転の連動設定を報知する。また、例えば、監視センタ５は、連動対象エレベーターの建物１に備えられた警報装置および表示部に冠水退避運転の連動設定を報知する。
【００４８】
続いて、監視センタ５の保守員検索部４２は、保守員情報４１に基づいて、連動対象エレベーターを担当する保守員３６の情報を抽出する（ステップＳ１２）。
【００４９】
続いて、監視センタ５の遠隔制御設定部１０は、冠水退避運転の設定に係る報知を制御する（ステップＳ１３）。例えば、監視センタ５は、通信網６を介して、抽出した保守員３６の所有する制御端末３７に電子メールなどで冠水退避運転の連動設定を報知する。また、例えば、監視センタ５は、通信網６を介して、抽出した保守員３６の所有する電話機３８に自動音声などで冠水退避運転の連動設定を報知する。
【００５０】
上記処理によれば、冠水退避運転の連動設定を実施した際に、連動設定されたエレベーター２の保守員３６に対して冠水退避運転の連動設定を確実に報知でき、保守員３６が冠水退避運転によりエレベーター２を利用できなくなる状態を故障と勘違いしてしまい、不要に故障調査を実施してしまう事態を回避できるようになる。また、保守員３６が天気予報などの情報により事前にエレベーター２の冠水退避運転を設定しようと該当エレベーター２のビルへ不要に出動するだけでなく、冠水退避運転中に冠水退避運転を設定することで故障を発生させる事態を回避できるようになる。
【００５１】
（報知制御処理）
図３は、冠水のおそれがあるエレベーター２の関係者（例えば所有者・管理者２７）に報知を行うための報知制御処理に係る処理手順を示す。
【００５２】
ステップＳ１０１では、エレベーター検索部１５は、近隣閾値格納部１６から近隣閾値を読み出し、エレベーターＡの所在地から近隣閾値内に存在するエレベーター２（近隣エレベーター）の情報を所在地情報１１から抽出する。
【００５３】
続いて、エレベーター検索部１５は、近隣エレベーターを抽出したか否かを判定する（ステップＳ１０２）。エレベーター検索部１５は、近隣エレベーターを抽出したと判定した場合、ステップＳ１０３に処理を移し、近隣エレベーターを抽出していないと判定した場合、ステップＳ１１５に処理を移す。
【００５４】
ステップＳ１０３では、標高比較部１７は、エレベーター検索部１５で検索した近隣エレベーターを有する建物１の標高情報と、冠水退避運転が遠隔設定されたエレベーターＡを有する建物１の標高情報とを標高情報１２から抽出する。
【００５５】
続いて、標高比較部１７は、近隣エレベーターを有する建物１の標高が、遠隔設定されたエレベーターＡを有する建物１の標高に比べて低いか否かを判定する（ステップＳ１０４）。標高比較部１７は、近隣エレベーターを有する建物１の標高が、エレベーターＡを有する建物１の標高に比べて低いと判定した場合、ステップＳ１０５に処理を移し、近隣エレベーターを有する建物１の標高が、エレベーターＡを有する建物１の標高に比べて低くない（高いまたは同じ）と判定した場合、ステップＳ１０９に処理を移す。
【００５６】
ステップＳ１０５では、雨量比較部１８は、エレベーターＡよりも標高が低い近隣エレベーターの所在地における雨量を雨量マップ情報１３から抽出する。
【００５７】
続いて、雨量比較部１８は、雨量閾値格納部１９から雨量閾値を読み出し、近隣エレベーターの所在地における雨量が雨量閾値以上であるか否か判定する（ステップＳ１０６）。雨量比較部１８は、近隣エレベーターの所在地における雨量が雨量閾値より多いと判定した場合、連動設定がなされているので処理を終了し、近隣エレベーターの所在地における雨量が雨量閾値以下であると判定した場合、ステップＳ１０７に処理を移す。
【００５８】
ステップＳ１０７では、報知司令部３０は、ステップＳ１０６において雨量比較部１８により雨量が雨量閾値より少ないと判断（診断）されたエレベーター２を抽出（特定）する。
【００５９】
続いて、報知司令部３０は、抽出したエレベーター２の所有者・管理者２７に対して、将来的に冠水のおそれがあることを報知し（ステップＳ１０８）、所定時間が経過した後に再びステップＳ１０１からの処理を行うように（複数回の報知が行われるように）セットし、処理を終了する。例えば、報知司令部３０は、抽出したエレベーター２がエレベーター２ｂである場合、通信網６を介して所有者・管理者２７ｂの所有する制御端末２６ｂに電子メールなどで将来的に冠水のおそれがあり、エレベーター２ｂを退避させるべき旨を報知（命令）し、電話回線２８を介してエレベーター２ｂの所有者・管理者２７ｂの所有する電話機２９ｂに自動音声などで将来的に冠水のおそれがあり、エレベーター２ｂを退避させるべき旨を報知（命令）する。
【００６０】
ステップＳ１０９では、雨量比較部１８は、標高比較部１７にてエレベーターＡより標高が高いと判断された近隣エレベーターの所在地における雨量を雨量マップ情報１３から抽出する。
【００６１】
続いて、雨量比較部１８は、雨量閾値格納部１９から雨量閾値を読み出し、近隣エレベーターの所在地における雨量が雨量閾値より多いか否か判定する（ステップＳ１１０）。雨量比較部１８は、近隣エレベーターの所在地における雨量が雨量閾値より多いと判定した場合、ステップＳ１０８に処理を移し、近隣エレベーターの所在地における雨量が雨量閾値以下であると判定した場合、ステップＳ１１１に処理を移す。
【００６２】
ステップＳ１１１では、第２雨量比較部３４は、雨量比較部１８にて雨量が雨量閾値以下であると判断された近隣エレベーターの所在地における雨量を雨量マップ情報１３から抽出する。
【００６３】
続いて、第２雨量比較部３４は、雨量第２閾値格納部３５から雨量第２閾値を読み出し、近隣エレベーターの所在地における雨量が雨量第２閾値以上であるか否か判定する（ステップＳ１１２）。第２雨量比較部３４は、近隣エレベーターの所在地における雨量が雨量第２閾値より多いと判定した場合、ステップＳ１１３に処理を移し、近隣エレベーターの所在地における雨量が雨量第２閾値以下であると判定した場合、ステップＳ１１４に処理を移す。
【００６４】
ステップＳ１１３では、報知司令部３０は、ステップＳ１１２で雨量が雨量第２閾値より多いと判定されたエレベーター２の所有者・管理者２７に対して、将来的に冠水のおそれがあることを報知し、処理を終了する。ここで、雨量が雨量第２閾値より多いかつ雨量閾値以下であることから、この際の報知は、ステップＳ１０８と比較して危険度を下げて行われる。例えば、報知司令部３０は、ステップＳ１１２で雨量が雨量第２閾値より多いと判定されたエレベーター２がエレベーター２ｂである場合、電子メールなどでの報知を行わず、電話回線２８を介してエレベーター２ｂの所有者・管理者２７ｂの所有する電話機２９ｂに自動音声などで将来的に冠水のおそれがあることを報知（警告）する。また、例えば、報知司令部３０は、内容としては、エレベーター２ｂを退避すべき旨ではなく、エレベーター２ｂを退避させた方がよい旨を報知（警告）する。
【００６５】
ステップＳ１１４では、報知司令部３０は、ステップＳ１１２で雨量が雨量第２閾値以下であると判定されたエレベーター２の所有者・管理者２７に対して、将来的に冠水のおそれがあることを報知し、処理を終了する。ここで、雨量が雨量第２閾値以下であることから、この際の報知は、ステップＳ１１３と比較して危険度を下げて行われる。例えば、報知司令部３０は、ステップＳ１１２で雨量が雨量第２閾値以下であると判定されたエレベーター２がエレベーター２ｂである場合、自動音声などでの報知を行わず、通信網６を介して所有者・管理者２７ｂの所有する制御端末２６ｂに電子メールなどで将来的に冠水のおそれがあることを報知（注意）する。また、例えば、報知司令部３０は、内容としては、エレベーター２ｂを退避させた方がよい旨ではなく、エレベーター２ｂの退避について検討した方がよい旨を報知（注意）する。
【００６６】
ステップＳ１１５では、第２エレベーター検索部３１は、近隣第２閾値格納部３２から近隣第２閾値を読み出し、エレベーターＡの所在地から近隣第２閾値内に存在するエレベーター２（近隣第２エレベーター）の情報を所在地情報１１から抽出する。例えば、エレベーターＡがエレベーター２ａである場合、図１に示すように、エレベーター２ｃが近隣第２エレベーターとして抽出される。
【００６７】
続いて、第２エレベーター検索部３１は、近隣第２エレベーターを抽出したか否かを判定する（ステップＳ１１６）。第２エレベーター検索部３１は、近隣第２エレベーターを抽出したと判定した場合、ステップＳ１１７に処理を移し、近隣第２エレベーターを抽出していないと判定した場合、処理を終了する。
【００６８】
ステップＳ１１７では、第２標高比較部３３は、第２エレベーター検索部３１で検索された近隣第２エレベーターを有する建物１の標高情報と、冠水退避運転を遠隔設定されたエレベーターＡを有する建物１の標高情報とを標高情報１２から抽出する。
【００６９】
続いて、第２標高比較部３３は、近隣第２エレベーターを有する建物１の標高が、遠隔設定されたエレベーターＡを有する建物１の標高に比べて低いか否かを判定する（ステップＳ１１８）。第２標高比較部３３は、近隣第２エレベーターを有する建物１の標高が、エレベーターＡを有する建物１の標高に比べて低いと判定した場合、ステップＳ１１９に処理を移し、近隣第２エレベーターを有する建物１の標高が、エレベーターＡを有する建物１の標高に比べて低くない（高いまたは同じ）と判定した場合、処理を終了する。
【００７０】
ステップＳ１１９では、第２雨量比較部３４は、エレベーターＡよりも標高１が低い近隣第２エレベーターの所在地における雨量を雨量マップ情報１３から抽出する。
【００７１】
続いて、第２雨量比較部３４は、雨量第２閾値格納部３５から雨量第２閾値を読み出し、近隣第２エレベーターの所在地における雨量が雨量第２閾値より多いか否か判定する（ステップＳ１２０）。第２雨量比較部３４は、近隣第２エレベーターの所在地における雨量が雨量第２閾値より多いと判定した場合、ステップＳ１２１に処理を移し、近隣第２エレベーターの所在地における雨量が雨量第２閾値以下であると判定した場合、処理を終了する。
【００７２】
ステップＳ１２１では、報知司令部３０は、ステップＳ１２０で雨量が雨量第２閾値より多いと判定されたエレベーター２の所有者・管理者２７に対して、将来的に冠水のおそれがあることを報知し、処理を終了する。ここで、雨量は雨量第２閾値より多くても、近隣第２閾値以内かつ近隣閾値を超える範囲であることから、この際の報知は、ステップＳ１１４と比較して危険度を下げて行われる。例えば、報知司令部３０は、ステップＳ１２０で雨量が雨量第２閾値より多いと判定されたエレベーター２がエレベーター２ｂである場合、自動音声などでの報知を行わず、通信網６を介して所有者・管理者２７ｂの所有する制御端末２６ｂに電子メールなどで将来的に冠水のおそれがあることを報知（通知）する。また、例えば、報知司令部３０は、内容としては、近隣閾値内ではないが近隣第２閾値内で冠水退避運転の設定が行われたエレベーター２がある旨を報知（通知）する。
【００７３】
上述したように、本実施の形態によれば、冠水退避運転エレベーターと共に冠水退避運転を必要する連動対象エレベーターに対して冠水退避運転を連動設定させた際に、連動対象エレベーターの保守員３６に冠水退避運転の実施を報知することができる。これにより、冠水退避運転を連動設定したことにより発生する、エレベーターの保守員３６の不要な故障調査および出動、二重の冠水退避運転を設定することによりエレベーター２が故障することを回避することができる。
【００７４】
更に、冠水退避運転を必要としないと判断されたエレベーター２に対しても、所在地、標高、および雨量に基づいて冠水のおそれの度合いを区別してエレベーター２の所有者・管理者２７に対してその旨を報知することができる。これにより、冠水退避運転の連動設定が不要であると判断されたエレベーターが判断後の雨量増加、長期的な雨天などにより結果的に冠水で故障する事態を回避できるようになる。
【００７５】
更に、エレベーターの位置、標高、およびその場所の雨量に基づいて決定される報知レベルに応じて報知回数を変更することで、関係者に報知をより適切に認識させることができる。また、報知レベルに応じて報知内容を変更することで、エレベーターの位置、標高、およびその場所の雨量が加味された内容をより適切に関係者に知らせることができる。また、報知レベルに応じて報知デバイスを変更することで、関係者は、より適切に報知を受け取ることができる。更に、報知回数、報知内容、および報知デバイスを適宜に組み合わせることで、関係者に対してより適切に報知を行うことができる。
【００７６】
かかる本実施の形態の構成によれば、信頼性の高いエレベーター２の遠隔制御および冠水避難運転を実現させることができる。
【００７７】
（２）他の実施の形態
なお上述の実施の形態においては、本発明を監視センタ５に適用するようにした場合について述べたが、本発明はこれに限らず、この他種々の監視センタに広く適用することができる。
【００７８】
また上述の第１実施形態においては、雨量比較部１８、雨量マップ情報１３、および雨量閾値格納部１９を備え、雨量を考慮して冠水退避運転エレベーターに連動させて近隣エレベーターを冠水退避運転させる構成について述べたが、本発明はこれに限られず、雨量比較部１８、雨量マップ情報１３、および雨量閾値格納部１９を備えずに（雨量を考慮せずに）、標高比較部１７によって近隣エレベーターを有する建物１の標高が、冠水退避運転エレベーターを有する建物１の標高に比べて低いと判断されたときに、近隣エレベーターを冠水退避運転させる構成にしてもよい。
【００７９】
また上述の第１実施形態においては、標高比較部１７および標高情報１２を備え、標高を考慮して冠水退避運転エレベーターに連動させて近隣エレベーターを冠水退避運転させる構成について述べたが、本発明はこれに限られず、標高比較部１７および標高情報１２を備えずに（標高を考慮せずに）、雨量比較部１８が雨量閾値格納部１９から雨量閾値を読み出し、近隣エレベーターの所在地における雨量が雨量閾値以上であると判断したときに、近隣エレベーターを冠水退避運転させる構成にしてもよい。
【００８０】
また上述の第１実施形態においては、雨量比較部１８、雨量マップ情報１３、雨量閾値格納部１９、第２雨量比較部３４、および雨量第２閾値格納部３５を備え、雨量を考慮して報知を制御する構成ついて述べたが、本発明はこれに限られず、これらの構成を備えずに（雨量を考慮せずに）、報知を制御するようにしてもよい。
【００８１】
また上述の第１実施形態においては、標高比較部１７、標高情報１２、および第２標高比較部３３を備え、標高を考慮して報知を制御する構成について述べたが、本発明はこれに限られず、これらの構成を備えずに（標高を考慮せずに）、報知を制御するようにしてもよい。
【００８２】
また上述の第１実施形態においては、近隣閾値、雨量閾値、近隣第２閾値、および雨量第２閾値を用いて多様な報知を実現する構成について述べたが、本発明はこれに限られず、近隣第２閾値および雨量第２閾値を用いることなく、近隣閾値および雨量閾値のみを用いて報知を制御するようにもよい。この場合、例えば、漏れがないように閾値を広く設定した近隣閾値および雨量閾値が用いられる。
【００８３】
また上述の第１実施形態においては、報知回数、報知内容、報知デバイスの少なくとも１つが異なる危険度（報知レベル）を４種類（ｌｖ１〜ｌｖ４）設け、所在地、標高、雨量に基づいて何れかの報知レベルで報知を行う構成について述べたが、本発明はこれに限られず、報知レベルを４種類より少なく設定してもよいし、多く設定してもよい。
【００８４】
また上述の第１実施形態においては、報知制御処理では、エレベーター２の所有者・管理者２７に対して報知を行う構成について述べたが、本発明はこれに限られず、エレベーター２の保守員３６に対して報知を行うようにしてもよいし、エレベーター２に係る警報装置および表示部で報知が行われるようにしてもよい。
【００８５】
また上述の第１実施形態においては、建物１ａに設置された警報装置および表示部は建物１ｂ〜１ｄにも設定されていると述べたが、本発明はこれに限られず、全てを設置する必要はなく、設置されている装置に対して報知することとしてもよい。例えば建物１ｂには警報装置が設置され、建物１ｃには表示部が設置されていた場合、エレベーター２ｂが報知対象となった場合、警報装置のみで報知を行い、エレベーター２ｃが報知対象となった場合、表示部のみで報知を行ってもよい。
【００８６】
また上述の第１実施形態においては、報知対象となったエレベーター２の所有者・管理者２７が所持する制御端末２６および電話機２９、保守員３６が所持する制御端末３７および電話機３８を区別して報知するように述べたが、本発明はこれに限られず、全ての装置に報知してもよいし、その他の装置の組合せとして報知をしてもよい。
【００８７】
また上述の第１実施形態においては、冠水退避運転を連動設定しないと判断された場合に、将来的に冠水のおそれがある旨の報知を行う構成について述べたが、本発明はこれに限られず、ステップＳ１０で連動設定をせずに、関係者に対して、将来的に冠水のおそれがある旨の報知を行うように構成しもよい。この場合、危険度が最も高い報知レベル（ｌｖ１（警告）よりも高いｌｖ０（危険））で報知が行われるのが好適である。
【００８８】
また上述の実施の形態に係るエレベーターシステム１００は、必ずしも開示した全ての機能構成を備える形態に限定されない。すなわち、ある構成部分を他の構成に置き換えたり、ある構成部分に他の構成を加えたりすることも可能である。例えば、図１中では監視センタ５内で連動設定対象および報知対象を抽出し、監視センタ５よりエレベーター２へ冠水退避運転を遠隔設定し、エレベーター２の所有者・管理者２７、および保守員３６に冠水退避運転の実施および将来的に冠水のおそれがあることを報知する構成を説明したが、エレベーター２に接続された監視装置３に連動設定対象抽出部１４または報知司令部３０を設け、監視装置３から他のエレベーター２に接続された監視装置３へ冠水退避運転を遠隔設定したり、監視装置３から他のエレベーター２の所有者・管理者２７および保守員３６に冠水退避運転の実施および将来的に冠水のおそれがあることを報知したりしてもよい。ただし、こうした場合、監視装置３の一台あたりの機能を増やすためにコスト面と取付環境を考慮して実施することが好ましい。さらに、図１に示す構成では、建物１、エレベーター２、および監視装置３は、実質上、４系統の場合に該当しているが、その系統数は、１系統、２系統、３系統、５系統以上であってもよい。つまり、本発明は、図１、図２、および図３を参照して説明した実施の形態に限定されない。
【００８９】
付言するならば、エレベーター検索部１５、第２エレベーター検索部３１等は、識別部の一例である。雨量比較部１８、第２雨量比較部３４等は、抽出部の一例である。遠隔制御設定部１０、報知司令部３０等は、制御部の一例である。標高比較部１７、第２標高比較部３３等は、特定部の一例である。
【符号の説明】
【００９０】
１……建物、２……エレベーター、３……監視装置、５……監視センタ、２６……制御端末、２７……電話機、３７……制御端末、３８……電話機、１００……エレベーターシステム
【図１】
2018154438.tif 000003
【図２】
2018154438.tif 000004
【図３】
2018154438.tif 000005